Podtech/llm-jp-corpus-v4-ja_patent huggingface dataset:
(57)【要約】【課題】ノート等は一般的にページ数が少なく、背表紙は３ミリメートル前後の幅であり、文字を記入することが困難であり、また記入しても文字が小さく判読が難しいことから、結果として複数のノートの区分けが出来ないという問題がある。【解決手段】本発明の記号式表示札は、ノートの背表紙のように狭小な場所にも、白丸、黒丸などの判別し易い記号を、規則的に配置することにより、離れた場所からでも、ノートなど表示部が狭小な対象の仕分けを確実に実施することが可能である。【選択図】図１
2013086316.tif 000002
【特許請求の範囲】
【請求項１】
２個の識別可能な、文字、絵、写真、記号などを、規則的に配置することにより、数値・文字・その他情報を表示する表示札。
【請求項２】
白丸印、黒丸印の記号を、それぞれ、０及び１の数値を割り振ることで、２進法で数値を表し、請求項１に記載する数値・文字・その他情報を表示する表示札。
【請求項３】
２個の識別可能な、文字、絵、写真、記号などを、それぞれ、０及び１に割り振ることで、２進法で数値を表し、請求項１及び請求項２に記載する数値・文字・その他情報を表示する表示札。
【請求項４】
識別可能な、文字、絵、写真、記号などを２個、或いはそれ以上を、規則的に配置することにより、数値・文字・その他情報を表示する表示札。
【請求項５】
文字、絵、写真、記号の間に、桁を区分する記号を挿入した、請求項１、請求項２、請求項３及び請求項４に記載する数値・文字・その他情報を表示する表示札。
【発明の詳細な説明】
【技術分野】
【０００１】
本発明は、白丸、黒丸など２種類の記号によりノートの背表紙など狭小の場所で、数字・文字・記号では表示が困難な場所に、数値・文字・その他情報の表示をする方法に関する。
【背景技術】
【０００２】
ノート等、ページ数の少ない薄い冊子では、背表紙などは幅が狭小であり、数字、文字などによる、個々の内容の表示が困難であった。このため、ノートの数が増加した場合、個々のノートの特定に時間を必要とし、場合によっては紛失することもあり多大な損失を生じていた。
【先行技術文献】
【特許文献】
【０００３】
【特許文献１】特許公開２００４−２３８１４３
【発明の概要】
【発明が解決しようとする課題】
【０００４】
ノートは一般的にページ数が少なく、背表紙は３ミリメートル前後の幅であり、文字を記入することが困難で、記入しても文字が小さく判読が難しく、結果として複数のノートの区分けが出来ないという問題があり、これを解決しようとする。
【課題を解決するための手段】
【０００５】
上述の課題を解決する本発明の記号式表示札は、ノートの背表紙のように狭小な場所にも、白丸、黒丸など２種類以上の判別し易い記号を、規則的に配置することにより、離れた場所からでも容易に判別出来るようにすることで、仕分けを確実に実施することが可能である。
【発明の効果】
【０００６】
本発明により、離れた場所からでもノートなど、記入する部分が狭小であり、通常の表示では判別することが困難な対象を、容易に判別出来るようにすることで、仕分けを確実に、効率的に実施することが可能である。
【図面の簡単な説明】
【０００７】
【図１】図１は記号式表示札の実施方法を示した説明図である。
【図２】図２は記号式表示札の実施方法を示した説明図である。
【図３】図３は記号式表示札の実施方法を示した説明図である。
【発明を実施するための形態】
【０００８】
以下本発明の実施の形態を図面に基づき詳細に説明する。
【実施例】
【０００９】
図１は本発明に係わる記号式表示札１０の概観図である。記号式表示札１０は白丸、及び黒丸の並びで数字の１１を表している。記号式表示札１０は上から下に５個の丸が並んでいるが、一番上の丸は白丸の場合は数値の０を、黒丸の場合は数値の１を意味する。上から二番目は白丸の場合は数値の０を、黒丸の場合は数値の２を意味する。上から三番目は白丸の場合は数値の０を、黒丸の場合は数値の４を意味する。上から四番目は白丸の場合は数値の０を、黒丸の場合は数値の８を意味する。上から五番目は白丸の場合は数値の０を、黒丸の場合は数値の１６を意味する。記号式表示札１０では、上から一番目は黒丸であり１を意味する。上から二番目は黒丸であり２を意味する。上から三番目は白丸であり０を意味する。上から四番目は黒丸であり８を意味する。上から五番目は白丸であり０を意味する。これら５個の記号の意味する数値を合計すると１１（＝１＋２＋０＋８＋０）となる。
【００１０】
記号式表示札１０では、５個の記号により０から３２の３３通りの数値を表示することが可能である。数値０は５個の記号が全て白丸のときの表示の意味である。数値１は上から一番目が黒丸で、二番目から五番目は全て白丸のときの表示である。このようにして、上から一番目から５番目までの記号が全て黒丸のときは数値３３を表示の意味である。この意味する数値の数え方は次項の通りである。
【００１１】
記号式表示札１０では、５個の記号を設けているが、必要に応じて記号の数を追加することで、より以上の数値を表示することが可能である。それぞれの記号の意味するところは表１の通りである。記号の並びの数値は上からN番目の記号に対しては２の（N-1）乗となり、２進法に従った数値となる。
【表１】
2013086316.tif 000003
【００１２】
図２は記号式表示札１０を、ノートに設置する前の状態である。
【００１３】
図３は記号式表示札１０をノートの背表紙に設置した状態を表している。
【産業上の利用可能性】
【００１４】
本発明はノート、バインダー、など書籍関連、及び部品等数量が多い対象で、記入場所が狭小であり人の目で区別をしなくてはならない全ての産業分野で利用することが出来る。
【符号の説明】
【００１５】
１０    記号式表示札
【図１】
2013086316.tif 000004
【図２】
2013086316.tif 000005
【図３】
2013086316.tif 000006
(57)【要約】【課題】  自由な形に曲がり固定することができ、一度変形した後も元の曲線形を作ることが容易にできる角度調節自由曲線定規を提供する。【解決手段】  定規部（１）の中に関節部品（３）と関節部品端１（２）と関節部品端２（４）をつなげた芯を入れ、それらをつなげた部分にギア（７）とコイルバネ等の弾性体（５）を使用する。ギア（７）と関節部品（３）、ギア（７）と関節部品端２（４）の固定に固定具（６）を入れ、関節部品（３）と関節部品（３）、関節部品（３）と関節部品端１（２）、関節部品（３）と関節部品端２（４）それぞれをつなぐ為に関節軸（８）を入れた角度調節自由曲線定規を特徴とする。【選択図】    図２
2013086323.tif 000002
【特許請求の範囲】
【請求項１】
ポリ塩化ビニル等の弾性体素材で出来た筒状の定規部（１）の中に角度を調節できる関節部分（９）を複数設けた芯を入れ、関節部分（９）にギア（７）とコイルバネ等の弾性体（５）を使用したことを特徴とする角度調節自由曲線定規。
【発明の詳細な説明】
【技術分野】
【０００１】
本発明は、描画や製図等において曲線を描く際に用いる事が出来る角度調節自由曲線定規に関するものである。
【背景技術】
【０００２】
従来曲線を描く際に用いる定規は、決まった曲線の形をした定規やポリ塩化ビニルなどの柔軟な素材で作られた定規、またはポリ塩化ビニルなどの柔軟な素材を使用した筒状の中に鉛等の重金属からなる棒状物が入ることによって自由な形に曲がり固定される定規などが知られている。
【先行技術文献】
【特許文献】
【０００３】
【特許文献１】特開２００３−２４６１９２号公報
【特許文献１】特開２００５−７７６８号公報
【非特許文献】
【０００４】
【非特許文献１】北野三希代著「はじめてのカルトナージュ―紙で作るフレンチテイストの雑貨小もの」日本ヴォーグ社２００４年１０月 第５頁
【発明の概要】
【発明が解決しようとする課題】
【０００５】
従来曲線を描く際に用いる定規には次のような欠点があった。
決まった形の曲線しかひけない定規。
ポリ塩化ビニルなどの柔軟な素材の定規は自由な形に曲がるが固定が出来ないので線がひきにくい。
ポリ塩化ビニルなどの柔軟な素材を使用した筒状の中に鉛等の重金属からなる棒状物を使用した定規は柔軟に動き固定もできるが一度変形してしまうと元の形に戻すのが困難な点があった。
【課題を解決するための手段】
【０００６】
定規部（１）の中に関節部品（３）と関節部品端１（２）と関節部品端２（４）をつなげた芯を入れ、それらをつなげた内部にギア（７）とコイルバネ等の弾性体（５）を使用する。ギア（７）と関節部品（３）、ギア（７）と関節部品端２（４）の固定に固定具（６）を入れ、関節部品（３）と関節部品（３）、関節部品（３）と関節部品端１（２）、関節部品（３）と関節部品端２（４）それぞれをつなぐ為に関節軸（８）を入れる。  
以上の構成よりなる角度調節自由曲線定規である。
【発明の効果】
【０００７】
自由な曲線に変形することが可能である。
ギア（７）とコイルバネ等の弾性体（５）を可動部分に設ける事によって可動した後、固定することが出来る。
歯部分（１１）の歯数によって関節部分（９）の角度を一定角度ずつ調節して動かせるので容易に同じ形の曲線を作る事が可能である。
【図面の簡単な説明】
【０００８】
【図１】本発明の斜視図
【図２】本発明の芯部分の断面斜視図
【図３】本発明の芯部分の断面図
【図４】本発明に使用した部品の形状を示した斜視図
【図５】本発明の関節部分の可動の一例の平面図
【発明を実施するための形態】
【０００９】
以下、本発明の実施の形態を説明する。
ポリ塩化ビニル等の弾性体素材で出来た角筒状の定規部（１）を使用する。
定規部（１）の中に関節部品（３）、関節部品端１（２）、関節部品端２（４）をそれぞれ関節軸（８）で連結した関節部分のある芯を入れる。関節部分にギア（７）とコイルバネ等の弾性体（５）と固定具（６）を使用する。
ギア（７）と関節部品（３）、ギア（７）と関節部品端２（４）の固定に固定具（６）を入れ、関節部品（３）と関節部品（３）、関節部品（３）と関節部品端１（２）、関節部品（３）と関節部品端２（４）それぞれをつなぐ為に関節軸（８）をいれる。
関節部分（９）に最大可動調節部（１０）を設ける。
本発明は、以上のような構造でこれを使用するときは、関節部分（９）を曲げていくことによって定規部（１）を曲線形にし、曲線を描く定規として使用することが出来る。
また、定規部（１）は芯部分、関節部分（９）にそって動く形状であれば角筒状や筒状でなくても同様の効果を得ることが出来る。
関節部分（９）を曲げる事によってギア（７）が動き、コイルバネ等の弾性体（５）が縮む事によって可動することができる。そして、コイルバネ等の弾性体（５）が伸びる事によって関節部分（９）を固定することが出来る。
固定具（６）を使用する事によってギア（７）と関節部品（９）を同時に動かすことが出来る。
固定具（６）を使用する事によってギア（７）と関節部品端２（４）を同時に動かすことが出来る。
歯部分（１１）の歯数により一回に動く関節部分（９）の角度を調節できる。
関節部分（９）を動かした際の最大可動域を調節する為の最大可動調節部（１０）は、関節を動かした時、上下の最大可動調節部（１０）同士があたる事によって調節される。
【産業上の利用可能性】
【００１０】
本発明は、デザインやイラストレーション等の美術関係や、建築や工業製品等の描画や製図等において曲線を描く機会のある幅広い産業で利用される。
【符号の説明】
【００１１】
２    関節部品端１
３    関節部品
４    関節部品端２
５    コイルバネ等の弾性体
６    固定具
７    ギア
８    関節軸
９    関節部分
１０  最大可動調節部
１１  歯部分
【図１】
2013086323.tif 000003
【図２】
2013086323.tif 000004
【図３】
2013086323.tif 000005
【図４】
2013086323.tif 000006
【図５】
2013086323.tif 000007
(57)【要約】      （修正有）【課題】写真を美しく楽しく従来より便利に鑑賞する目的を従来より安価な費用で可能に成る写真の鑑賞用具を提案する。【解決手段】写真取付台紙の写真を取付ける部分の適当な位置に適当な数の穴を台紙３の表から裏まで貫通させた形の良い窓１を作る事を特徴とし写真の裏側と台紙３の窓１を介して台紙３の裏側に粘着テープで台紙３の上の写真を接着させる事を可能にした写真取付台。【選択図】図１
2013086506.tif 000002
【特許請求の範囲】
【請求項１】
写真取付台紙の写真を取付ける部分の適当な位置に適当な数の穴を台紙の表から裏まで貫通させた形の良い窓を作る事を特徴とし写真の裏側と台紙の窓を介して台紙の裏側に粘着テープで台紙の上の写真を接着させる事を可能にした写真取付台。
【発明の詳細な説明】
【発明の詳細な説明】
従来写真を美しく楽しく鑑賞する為に写真を額縁に入れたり透明度の高い袋に入れたり暦の写真にしたり色々の方法で鑑賞してきた。
当発明は上記写真を美しく楽しく従来より便利に鑑賞する目的を従来より安価な費用で可能に成る写真の鑑賞用具を提案するものである。
当発明の態様を理解し易くする為に一実施例を図示し説明する。
図示の必要でないものは文章のみで説明する。
図１は好きな写真を安価な額縁で鑑賞出来る態様を示した一実施例で符号３の台紙や符号４の額縁は通常の安価な紙台でも目的を達成したものであるそしてあらゆる写真を気軽に写真台紙３に載せて接着窓符号１で写真を保持する。
図２は写真の下部に一箇月の暦を取付けたもので好きな写真を好きな時簡単に取替える様に構成した一実施例である。
図３は写真の周囲に一箇年の暦と会社宣伝用の文字で構成した一実施例である一年間の長い期間の暦の場合四季の変化や周囲の環境に応じて好きな写真を簡単に取替えて楽しむ事は有効な暦となる又少量多品種の暦を安価に構成出来る。
【図面の簡単な説明】
【図１】図１は当発明を活用して写真観賞用の安価な額縁を構成した一実施例である。
【図２】図２は当発明を活用して一箇月の暦を構成した一実施例である。
【図３】図３は当発明を活用して一箇年の暦を構成した一実施例である。
【符号の簡単な説明】
図中１は写真を載せる台紙の表から裏まで貫通させた窓の態様の一実施例。図中２は写真を載せ易くする為の案内線図中３は写真を載せる台紙。図中４は写真を美しく引き立てる為の額縁。図中５は額縁の一部を一箇月の暦で構成したものである。図中６は額縁の一部を一箇年の暦で構成したものである。図中７は額縁の一部を会社名で構成したものである。
【図１】
2013086506.tif 000003
【図２】
2013086506.tif 000004
【図３】
2013086506.tif 000005
(57)【要約】【課題】猫やカラスなどによるごみの食い散らかしが公害となっている。近年ではゴミをあさるカラスが増えたためか身近に小鳥の姿が少なくなり、生態系の乱れも危惧される。【解決手段】本発明はごみ公害を防ぐことを目的とし、ごみ袋の口を結ぶ前に中に2〜3か所振り入れるだけの簡便さで、食害を防ぐことが出来る害獣忌避剤である。その内容は無害な香料であり、人間には快い香りでも、濃縮されていることで匂いに敏感な小動物やカラスなどを避けることが出来る。また袋の内側に用いることによって拡散が防がれるので、わずかな使用量で済む。たとえ通勤前の忙しい時でも、容器から振り入れるだけの手間で、ごみを猫やカラスによる食い散らかしから防げる。【選択図】なし【特許請求の範囲】
【請求項１】
ごみ袋内に投入する、猫やカラスなどの食害を防ぐための香料。
【発明の詳細な説明】
【技術分野】
【０００１】
本発明は、収集ごみに用いることで猫・カラスなどの食害を防ぐことを目的とした製品である。
【背景技術】
【０００２】
従来では、ごみ袋自体の改良、ごみ袋にかける薬剤のスプレー、ごみ袋を覆うネットなどがあった。
【先行技術文献】
【特許文献】
【０００３】
【特許文献１】特開平９−１６９４０１  特開２０００−２１２４７７  特開２００２−２５５３０１  特開２００５−１４５８９３  特開２００６−２５７０１７  特開２００７−２１０７８６
【発明の概要】
【発明が解決しようとする課題】
【０００４】
猫やカラスによりごみが散乱し、美観や通行を妨げている。
【０００５】
清掃局の人はかき集めて持っていかなければならないし、収集場所前の宅では、散らかった人様の生ごみを別の袋に入れて出すことを余儀なくされる。
【０００６】
近年ではゴミをあさるカラスが増え、明け方から夜中まで間近で大きな鳴き声を聴くようになった。このことで、最近まで見かけていた小鳥があまり見られなくなるなど、野鳥などの生態系を乱していることが危惧される。
【０００７】
ごみの散乱を防ぐには、蓋つきの容器に入れることが確実であったが、場所がない、朝出しても収集後にしまえないという場合が多い。しかしごみ袋を食い荒らしから防ぐ方法は、いずれも普及に至っていない。収集場所の袋の上にネットをかける方法は、かなり見かけられ有効であるが、ネットの端に隙間があるとそこから袋ごと引き出されてしまうこともあった。
【課題を解決するための手段】
【０００８】
香料を添加した粉末を、ごみ袋内２〜３箇所に少量振り入れてから口をしばって出したところ、中に食べ物が入っているにもかかわらず、猫やカラスに食いちぎられなくなった。人間には快い匂いでも、濃縮されているため匂いに敏感な小動物やカラスなどを避けることが出来るということである。
【発明の効果】
【０００９】
本発明は、袋の口を結ぶ前に中に２〜３か所振り入れるだけの簡便さで、猫やカラスなどの食害を防ぐことができる。
通勤前の忙しい時でも、手元にありさえすれば行えるので、自分の出したごみが公害の元とならずに済む。
その使用量についても、ごみ袋の内側に用い、通常でも口をしっかり縛ることから、拡散が妨げられ少量で済む。
【００１０】
近隣の美化とともに人間関係も保たれ、カラスの急増による騒音などの公害や、野鳥の減少など生態系への影響も少なくできる。
【発明を実施するための形態】
【００１１】
香料を添加した粉末。片手で振り入れることのできる容器（ふた付き）に入っている。
【実施例】
【００１２】
生ごみなどの食べ物の入ったごみを袋で出すときに使用。
家庭で収集日までごみを外に置いておくときにも使用できる。
香料だけでなく、消臭剤も添加することで、より役立つことも考えられる。
粉末にこだわらず、場合によっては液体のほうが効果があるかもしれない。
【手続補正書】
【提出日】平成23年11月1日(2011.11.1)
【手続補正１】
【補正対象書類名】明細書
【補正対象項目名】０００８
【補正方法】変更
【補正の内容】
【０００８】
香料を添加した粉末を、ごみ袋内2〜3か所に少量振り入れてから口をしばって出したところ、中に食べ物が入っているにもかかわらず、猫やカラスに食い荒らされなくなった。人間には快い香りでも、濃縮されているため匂いに敏感な小動物やカラスなどを避けることが出来るということである。
使用した香りも森林系、花の香り、ミントの香りなど好んで用いられるものであるが、実際には袋の口をしばってしまえばほとんど匂いは感じられない。にもかかわらず、中を改めようと顔を近づける動物たちには、匂いがきつく感じられるので、その袋を食い破ろうという気持ちを失わせるのである。
(57)【要約】【課題】  現在のテープカッター台は通常のテープカッターとしての機能しかなく、ポスターなどをテープで壁へ貼りつけた場合にテープが壁に残ったり、剥がし難いのが現状だが、リング状仮止めテープにする事により、一時的に貼りたい物などを剥がす時に、とても剥がしやすくする事ができるリング状仮止めテープにする。【解決手段】  市販のテープを、テープ一体型スライド構造機能のテープ台へ設置し、テープ一体型スライド構造機能テープバーを手前へ引く事により図２の様なリング状のテープを作る事が出来、必要な長さにカットしてから、テープ一体型スライド構造機能テープバーを図１の元の位置へ戻す操作の繰り返しにより、リング状仮止めテープを何枚も簡単に作る事ができる。【選択図】図２
2013086971.tif 000002
【特許請求の範囲】
【請求項１】
市販のテープを使用したテープを前後スライドさせる事により簡単にリング状仮止めテープを何枚も作る事の出来るテープカッター台。
【発明の詳細な説明】
【発明の詳細な説明】
【技術分野】
【０００１】  本発明は、現在の市販のテープを使用し、テープ前後スライド構造により、簡単にリング状仮止めテープを何枚も作る事ができるテープカッター台である。
【背景技術】
【０００２】  通常のテープカッター台としての機能しかないので、リング状仮止めテープを作る事が出来ない。
【発明を実施するための形態】
【０００３】  本発明は、現在の市販のテープを使用し、リング状仮止めテープを作り、長さも調整出来る説明をしたのが図２である。
【発明の効果】
【０００４】  この様にすれば、現在の市販のテープを使用し、リング状仮止めテープを作る事により、テープを剥がす時に綺麗に、且つ簡単に剥がす事が出来るので便利である。
【図面の簡単な説明】
【図１】リング状仮止めテープを作るテープカッター台の図である。
【図２】テープ一体型スライドテーブル構造によりリング状仮止めテープを作成した図である。
【図３】通常のテープとしての使用時のスライドストッパーを使用した図である。
【図４】リング状仮止めテープを作成する為のテープカッター台の内部構造の図である。
【符号の説明】１  テープ
２  内側接着面
３  テープで仮止めしたい物
【図１】
2013086971.tif 000003
【図２】
2013086971.tif 000004
【図３】
2013086971.tif 000005
【図４】
2013086971.tif 000006
(57)【要約】      （修正有）【課題】豪雨時等に雨合羽を着用し外出したとき増水した河川等に転落するというような事態が発生したとき、水面浮上を確保し、発見救助が速やかに行える雨合羽を提供する。【解決手段】雨合羽１の頭部胸部背部を２重にし、袋状にし、浮力材収納袋２を設ける。浮力材収納袋２に浮力材を挿入固定し、緊急時に救命胴衣として使用できるものにした。浮力材としては、発砲スチロール等発砲樹脂シートや空気あるいは炭酸ガスなどを使用する。【選択図】図１
2013086788.tif 000002
【特許請求の範囲】
【請求項１】
雨合羽等雨具の頭部胸部背部に浮力材収納袋を設け浮力材を挿入し、緊急時に頭部保護と救命胴衣として使用する。
【請求項２】
発砲スチロール等発砲樹脂シート  空気  炭酸ガスなどを浮力材とする。
【発明の詳細な説明】
【技術分野】
【０００１】本発明は、レインコート等雨具の頭部胸部背部に発砲樹脂シート等浮力材を取り付け、緊急災害時に頭部保護と水難救命胴衣として使用出来るものとした。
【背景技術】
【０００２】従来は、水難事故から回避する目的の雨具はなかった。
【発明の概要】
【発明が解決しようとする課題】
【０００３】近年異常気象によると思われる台風や集中豪雨による河川の増水氾濫が多く発生するようになった。
緊急避難中や周りの状況の見回りに出て流される事故がよく発生して多数の人命が失われている。
本発明は、少しでも死亡という状況から回避しようとするものである。
【課題を解決するための手段】
【０００４】雨合羽（１）の頭部  胸部  背部を袋状にし浮力材収納袋（２）を設け発砲樹脂シート等浮力剤（３）を挿入固定する。
【発明の効果】
【０００５】本雨合羽の頭部  胸部  背部にいれた浮力材により水中転落時に浮上確保ができ避難救助が容易となる。又、浮力剤が緩衝となり頭部の保護ができ体温の降下を緩和する効果もある。
【図面の簡単な説明】
【０００６】
【図１】本発明雨合羽本体前視図である。
【図２】本発明雨合羽本体後視図である。
【図３】浮力剤収納袋の断面図である。
【発明を実施するための形態】
【０００７】以下、本発明の形態について説明する。
（イ）  雨合羽（１）の頭部  胸部  背部を２重にし袋状にし、浮力材収納袋（２）を設ける。
（ロ）  浮力材収納袋（２）に浮力材（３）を挿入固定する。
【符号の説明】
【０００８】（１）  雨合羽本体
（２）  浮力材収納袋
（３）  浮力材
【図１】
2013086788.tif 000003
【図２】
2013086788.tif 000004
【図３】
2013086788.tif 000005
(57)【要約】【課題】  車両及び搭乗者に制止時以外の加速度が検出された場合に、その加速度に対し立体座標に於ける点対称となるように車両や座席の傾き及び高さを素早く調節することによって、搭乗者及び走行への危険性が増す状態を軽減もしくはなくすようにする立体加速度値の重力細分化制御装置を提供する。【解決手段】  単体加速度センサーの高速な情報をＸＹＺ軸の立体加速度値として算出し、その立体加速度値を基にダンパの加減圧を個別制御し車両や座席の高さや角度を常時変化させて、現在の走行状況もしくは予め登録している走行状況に於ける加速度を相殺する機能を搭載する基盤を設けた立体加速度値の重力細分化制御装置を特徴とする。【特許請求の範囲】
【請求項１】
車両が走行することで制止時とは異なる重力が加わった際に、単体加速度センサーの情報を基にＸ軸（左右）Ｙ軸（前後）Ｚ軸（高さ）の立体加速度値（重力の全体的な掛かり具合）を検出し、その検出値を基に、四輪車両であるならば四本のダンパ（ショックアブソーバー）の加減圧を個別に常時制御して、車両や搭乗者に危険や負荷を及ぼす加速度を車両の立体的傾き（高さと角度）の調節にてゼロもしくは減速度（マイナス）とすることを特徴とした、立体加速度値の重力細分化制御装置。
【請求項２】
車両が定まったルートを走行する場合に、予め車両に掛かる加速度を計測・分析することで走行状況よりも先に加速度を相殺させる減速度を車両に生じさせ、車両が安全の範囲にて最速走行を行えるようことを特徴とした、請求項１記載の立体加速度値の重力細分化制御装置。
【請求項３】
搭乗者の座席底もしくは周囲にダンパの働きを持つ支柱を備えることで、搭乗者が加速度を感じること軽減し快適かつ安全に搭乗できることを特徴とした、請求項１記載の立体加速度値の重力細分化制御装置。
【発明の詳細な説明】
【技術分野】
【０００１】  本発明は、単体加速度センサーからの立体座標情報を基に、ダンパ毎の加減圧を操作して物体に掛かる加速度をゼロもしくはマイナスとする立体加速度値の重力細分化制御装置に関するものである。
【背景技術】
【０００２】  従来、加速度は複数の観測器を使用して計測していた。またその値を利用しての車両角の制御は、走行路面に対して車両面を水平状態に近づけるよう前後左右いずれか一方のみを角度調整するものであり、単体センサーによる立体加速度値の算出を基に各ダンパを個別制御して車両の角度と高さを変化させ、加速度を相殺もしくは加速度に備える機能を有する装置に関する製品はなかった。
【発明の概要】
【発明が解決しようとする課題】
【０００３】  車両の制動時、慣性の法則により直進時の車両は前のめりとなり制動距離が発生してしまう。その際に搭乗者も同様に加速度を受け、加速度を軽減する機能を持つ車両であっても複数センサーによる検出は演算に時間が掛かる為に緊急時には対応できず、急ブレーキ時の搭乗者の人体には多大な衝撃が加わっていた。また後輪が浮いた状態のため、ハンドルを切るとスピンが発生する状態でもあった。車両旋回時には遠心力が掛かり走行車線のはみ出しや横転の危険性があった。本発明は、これらの課題を解消する為になされたものである。
【課題を解決するための手段】
【０００４】  車両や座席の重心に単体加速度センサーを設置し、加速度情報を立体値として算出するチップ及びダンパ毎に加減圧を常時独立制御するチップを搭載する演算集積基盤を車両内部に設ける。本発明は、以上の構成よりなる装置である。
【発明の効果】
【０００５】  車両や座席は立体的傾きによって常時変化する為、緊急時の搭乗者の安全だけでなく通常走行時における道路状況に合わせた安全走行を可能とする。また制御装置に走行状況の記録を行わせることで、予め走行状況に応じた加速度軽減を先に行うことができ、電車の脱線事故の防止をも可能とする。
【発明を実施するための最良の形態】
【０００６】  以下、本発明を実施するための形態について説明する。
加速度センサーを車両や座席の重心に設置する。
座席の場合は、座席の底にダンパと同じ役割をする支柱を４本以上備える。
立体加速度値の重力細分化制御装置基盤を車両内に設置する。
加速度センサー及び各ダンパを本発明の装置基盤からの配線で繋ぐ。
本発明の装置の起動と終了が行えるボタンを、運転手の手の届くところに設ける。
本発明は、以上のような構造である。
これを使用するときは、装置の起動ボタンを押すか常時起動とし、加速度が掛かった際に車両や座席の高さと傾きが変化するようにすればよい。
(57)【要約】      （修正有）【課題】研究所内でネットワーク化された検査装置の結果照合を行う際に、目視確認を行う研究員の負担が少なく、作業効率も良く、正確な検査結果確認方法を提供する。【解決手段】比較対象となる検査結果の一方を研究所内システムの音声読み上げ機能を使用して聴覚情報として提供する。【効果】研究員は聴覚情報と視覚情報の照合を行うことが可能となり、照合時の負担が軽減することができる。【選択図】図１
2013182608.tif 000002
【特許請求の範囲】
【請求項１】
検査結果照合確認の際、音声読み上げ機能を使用することで、視覚情報と聴覚情報による比較を行う方式。
【発明の詳細な説明】
【技術分野】
【０００１】本発明は、研究所内でネットワーク化された検査装置の結果照合方法に関する。
【背景技術】
【０００２】図２に示すように、従来の検査結果照合は検査装置が出力した画像の検査結果情報６と、研究所内システムに取り込んだデータとしての検査結果情報７の照合を目視により行う方法を採ることが多かった。これはシステム内に値として取り込む際の誤りを検出する為の措置である。
【発明の概要】
【発明が解決しようとする課題】
【０００３】  従来の方式では、図２において視線９と視線１０を相互に移動させる必要があることから、以下の観点で課題があった。
・目視確認を行う研究員の負担が大きく、作業効率も悪い。
・視線が頻繁に移動するため、作業自体の正確性を欠く。
【課題を解決するための手段】
【０００４】研究所内システム上の音声読み上げ機能を使用することで、検査結果照合時、システムに取り込んだ検査結果情報を研究員に伝達する情報を視覚情報から聴覚情報に変更する。
【発明の効果】
【０００５】研究員は聴覚情報と視覚情報の照合を行うことが可能となり、視線を一定に保つことが可能となる。結果、照合時の負担が軽減される。
【発明を実施するための形態】
【０００６】以下、本発明を実施するための形態を、図を用いながら説明する。
【実施例】
【０００７】図１に本発明の実施例を示す。
研究員３は、画像の検査結果情報１を確認するために視線４を固定したまま、音声情報５からデータとしての検査結果情報２を認識し、照合を行う。
【図面の簡単な説明】
【０００８】
【図１】本発明による検査結果照合確認方法の模式図を示す。
【図２】従来の検査結果照合確認方法の模式図を示す。
【符号の説明】
【０００９】    １      画像の検査結果情報
２      データとしての検査結果情報
３      研究員
４      視線
５      音声情報
６      画像の検査結果情報
７      データとしての検査結果情報
８      研究員
９      視線
１０    視線
【図１】
2013182608.tif 000003
【図２】
2013182608.tif 000004
(57)【要約】【課題】従来の施設（機器）予約システムでは、予約がなされているが実際に使っているのかはわからないという課題があった。【解決手段】施設（機器）の使用状況を管理するコンピュータに保管されるログなどをエージェントプログラムが監視する。若しくは施設（機器）の使用状況を監視する機器を使って使用状況を監視する。施設（機器）予約システムは、エージェントプログラム若しくは監視機器からの稼働状況情報を受信して、施設（機器）の使用状況を把握する。施設（機器）予約システムは、施設（機器）予約状況と共に施設（機器）の使用状況を表示することで、予約状況と実使用状況の食い違いが確認できる。【選択図】図１
2013182609.tif 000002
【特許請求の範囲】
【請求項１】
施設（機器）予約を行う際、エージェントプログラムまたは監視機器からの施設（機器）使用状況情報を元に、施設（機器）予約情報と共に施設（機器）の使用状況を表示する方式。
【発明の詳細な説明】
【技術分野】
【０００１】本発明は、コンピュータを利用した施設及び機器の予約システムに関する。
【背景技術】
【０００２】図２にて従来方式を示す。
従来の施設（機器）予約システム１１は、施設（機器）の予約、予約状況の表示、予約の変更や削除の機能を持つ。ただし、予約対象施設１２や予約対象機器１３とはネットワークなどでつながっていない。
【発明の概要】
【発明が解決しようとする課題】
【０００３】従来の施設（機器）予約システムでは、次のような課題があった。
１．  予約システムにて施設などの予約がなされているが、実際の使用状況に即しているかは不明である。
【課題を解決するための手段】
【０００４】本発明は上記の課題を解決するために、次のような手段を採用する。
〈手段１〉
施設（機器）の使用状況を管理するコンピュータに保管されるログなどをエージェントプログラムが使用状況を監視する。若しくは、施設（機器）の使用状況を監視する機器を使って使用状況を監視する。
〈手段２〉
情報管理支援装置は、エージェントプログラム若しくは監視機器からの稼働状況情報を受信して、施設（機器）の使用状況を把握する。
〈手段３〉
情報管理支援装置は、施設（機器）予約状況と共に施設（機器）の使用状況を表示する。
【発明の効果】
【０００５】この発明によれば、施設（機器）の予約状況と共に施設（機器）の使用状況がわかるので、施設（機器）を使用するに当たり無駄な待ち時間などが発生しない。
【発明を実施するための形態】
【０００６】以下、本発明を実施するための形態を、図を用いながら説明する。
【実施例】
【０００７】図１に本発明の実施例を示す。
施設（機器）予約システム１は、ネットワーク４にて予約対象施設５に設置されている監視機器２及び、ネットワーク４にてエージェントプログラム３が導入されている予約対象機器６に接続されている。
監視機器２及び、エージェントプログラム３は、予約対象施設や機器の使用状況を監視し、その使用開始／終了などの情報をネットワーク４を通じて、施設（機器）予約システムに送信する。
施設（機器）予約システムは、使用者から施設や機器の予約状況の登録を受ける。
その際、予約対象施設や機器の現在の使用状況を表示し、予約作業の補助を行う。
【図面の簡単な説明】
【０００８】
【図１】この発明による施設（機器）予約システムの模式図を示す。
【図２】従来の施設（機器）予約システムの模式図を示す。
【符号の説明】
【０００９】１      施設（機器）予約システム
２      監視機器
３      エージェントプログラム
４      ネットワーク
５      予約対象施設
６      予約対象機器
１１    施設（機器）予約システム
１２    予約対象施設
１３    予約対象機器
【図１】
2013182609.tif 000003
【図２】
2013182609.tif 000004
(57)【要約】【課題】  従来のラボラトリー情報管理システムでは、数多く並んだメニュー項目から目的の作業を選ぶのが煩雑である。また、ラボ内の作業を俯瞰して認識することができない。  そこで、この発明は、直観的なメニュー選択と、ワークフロー内における現在位置の把握を可能とすることを課題とする。【解決手段】  以上の課題を解決するために、第一発明は、メニューをマップ上に配置することを特徴とするナビゲーション方法である。  また、第二発明は、一連のワークフローがロール（巻物）状につながっていると捉え、左右に遷移することを特徴とする、画面遷移方法である。【選択図】図１
2013182612.tif 000002
【特許請求の範囲】
【請求項１】
メニューをマップ上に配置することを特徴とするナビゲーション方法。
【請求項２】
一連のワークフローがロール（巻物）状につながっていると捉え、左右に遷移することを特徴とする画面遷移方法。
【発明の詳細な説明】
【技術分野】
【０００１】  この発明は、ラボラトリー情報管理システムのユーザインターフェースに関する。
【背景技術】
【０００２】  従来のラボラトリー情報管理システムでは、目的の作業の画面に移動する際、メニュー一覧から選択する方法で行う。
【発明の概要】
【発明が解決しようとする課題】
【０００３】  従来のラボラトリー情報管理システムでは、数多く並んだメニュー項目から目的の作業を選ぶのが煩雑である。また、ラボ内の作業を俯瞰して認識することができない。
そこで、この発明は、直観的なメニュー選択と、全体のワークフロー内における現在位置の把握を可能とすることを課題とする。
【課題を解決するための手段】
【０００４】  以上の課題を解決するために、第一発明は、メニューをマップ上に配置することを特徴とするナビゲーション方法である。
また、第二発明は、一連のワークフローがロール（巻物）状につながっていると捉え、左右に遷移することを特徴とする画面遷移方法である。
【発明の効果】
【０００５】  第一発明、または第二発明によれば、直観的な操作のため幅広い層のユーザが簡単に操作を覚えることがき、かつラボ内作業効率を向上させることができる。
【図面の簡単な説明】
【０００６】
【図１】第一発明の一実施形態を示す画面イメージ図である。
【図２】第二発明の一実施形態を示す画面イメージ図である。
【発明を実施するための形態】
【０００７】  第一発明の一実施形態を、図１に示す。メニューマップ表示ボタン１にカーソルを合わせ、メニューマップウィンドウ２をポップアップ表示する。ユーザはマップに配置されたメニューの中から任意のものを選ぶ。
【０００８】  第二発明の一実施形態を、図２に示す。ワークフロー３は時系列に沿って各工程に分割されている。実際にユーザが操作をしている画面４は、ロール状のワークフロー３の一部分のみが見えている状態である。ボタン５を押下することで、次の工程の作業に画面遷移する。
【符号の説明】
【０００９】１  メニューマップ表示ボタン
２  メニューマップウィンドウ
３  ワークフロー
４  操作画面
５  次に進むボタン
【図１】
2013182612.tif 000003
【図２】
2013182612.tif 000004
(57)【要約】【課題】鉛筆等筆記具を正しく持ち、整った筆記と正しい姿勢に導くことができる六角鉛筆等筆記具を課題とする。【解決手段】六角鉛筆の側面の各面に当接する指を特定する柄を印刷しておく。指位置は親指の隣の面をとばして人指し指が、そして隣の面に中指が当接するように印刷表示をする。【選択図】図１
2013182271.tif 000002
【特許請求の範囲】
【請求項１】
六角鉛筆等筆記具の側面に、約４５°の斜線と丸点を表示した面（親指）と空白面と約１５°長斜線を表示面（人指し指）を設けたことを特徴とする、持ち方指導表示付筆記具。
【発明の詳細な説明】
【技術分野】
【０００１】  本発明は、鉛筆、シャープペンシル等筆記具の持ち方を指導する教育機能付筆記具に関する。
【背景技術】
【０００２】  鉛筆等で筆記するのに、初等教育などからその教育が軽んじられている悲しい現状に鑑み、筆記具の正しい持ち方が指導できる筆記具を提供する。［特許文献９］
【先行技術文献】
【特許文献】
【０００３】
【特許文献１】  特許公開２０１１−１６４３１６
【０００４】
【特許文献２】  許公開２００８−１２９５６５
【０００５】
【特許文献３】  特許公開２００１−７１６８８
【０００６】
【特許文献４】  特許公開２００６−２６３４６２
【０００７】
【特許文献５】  特許公開２００５−２１９２１４
【０００８】
【特許文献６】  特許公開２００３−９８９５２
【０００９】
【特許文献７】  特許公開２００１−１８０１７４
【００１０】
【特許文献８】  特許公開平１１−５９０５５
【００１１】
【特許文献９】  特許公開平１１−３４５７０
【００１２】
【特許文献１０】  特許公開平１１−１２３８９１
【００１３】
【特許文献１１】  特許公開２０００−２０３１８８
【００１４】
【特許文献１２】  実解平５−３１９９０
【００１５】
【特許文献１３】  実用新案登録第３０９５６９４号
【００１６】
【特許文献１４】  平３−３７９９２
【００１７】
【特許文献１５】  特許出願２００５−２６７６０９
【００１８】
【特許文献１６】  特許公開平１１−３１４４８５
【発明の概要】
【発明が解決しようとする課題】
【００１９】  鉛筆等筆記具を正しく持ち、整った筆記と正しい姿勢に導くことができる筆記具を課題とする。
【課題を解決するための手段】
【００２０】  本発明を断面六角の鉛筆を例に説明すれば、［図１］の六角鉛筆の側面展開図の１、２、に表示ように六面の所定面に当接する指を指示する柄を、鉛筆側面に印刷しておく。【００２１】  当接するる指を指示するのに、［図１］の１面と４面には親指を指定し、斜線と黒点付二重丸（後述）［特許文献１４］の柄を印刷する。【００２２】  ［図１］の２の斜線は爪先線であって約４５°とし、親指の爪止めの機能をもち、静止把握である。［特許文献１２］【００２３】  そして黒点付二重丸は［図２］に示す押点であり、丸印は親指の指頭位置を示している。［特許文献１３］【００２４】  黒点は押す方向を表示している。【００２５】  この丸印と斜線が対になって機能するのである。【００２６】  人指し指を当接する斜線１は２面と５面をとばして［特許文献１４］３面と６面に、発明者等の経験則から約１５°の長斜線の柄を印刷する。【００２７】  中指を当接する面は隣の４面、即ち親指に対面し、親指の指示柄２となる。［図１］、［図２］【００２８】  その結果、［図１］に於いて、２面と、５面は空白とする。【００２９】  以上のように印刷した鉛筆３は［図２］に示す底面図の配置で、各指に保持されて運筆できるのである。【００３０】［図２］の底面図で薬指と小指は［図３］に示すように玉部と共に接紙部になる。［図４］参照。【００３１】  本発明による運筆は［図３］の指の動きに示すように親指は右押し指、即ち横方向（Ｘ軸）駆動として機能する。【００３２】  人指し指は運動感知指として機能するので、親指と中指の動きを微妙に制御する。【００３３】  中指は親指の対面に当接する運筆指、即ち縦方向（Ｙ軸）駆動として機能し、中指の中心軸は右腕の中心軸でもある。【００３４】  以上説明の三本指は握引指として機能する薬指と遊動指として機能する小指に紙面から支えられて自由闊達に運筆作業ができるのである。【００３５】  運筆作業時、各指の筆記具への当接は［図３］の各部に黒く塗布した部分４である。【００３６】  そこへ増して重要な機能を働くのが玉部（豆状骨）［図３］で、運筆作業全体の支点になる。【００３７】  結果として、薬指、小指、玉部の三点は接紙部５として機能して、本発明の価値を遺憾なく発揮できる合理的人間工学である。【００３８】丸鉛筆については、上述の各面が円弧面になるだけで全く同様である。
【発明の効果】
【００３９】  本発明による、正しい筆記具の持ち方を取得することにより、整った文字が書け、識字力の向上、及び文字が覚えやすい他、正しい姿勢になることから、指が疲れなく、合理的に全身の疲労も防止できる効果があることは歴史的にも衆知である。
【図面の簡単な説明】
【００４０】
【図１】  六角鉛筆展開図の当接指とその面を柄模様での表示図
【図２】  六角鉛筆を保持した底面図にて各指の配置の表示図
【図３】  鉛筆保持時の指の働きと当接部を示す図
【図４】  運筆の側面の様子
【発明を実施するための形態】
【００４１】  鉛筆等筆記具側面に、その展開図を［図１］［図５］に示すように正しく当接する指の特定柄を所定面に印刷しておくのである。
【００４２】
【実施例】
【００４３】  六角鉛筆を例に説明すれば、［図１］の鉛筆側面展開図のように正しく当接する指の識別柄を鉛筆の側面に印刷しておく。【００４４】  使用に際して［図４］及びその底面図［図２］の要領で鉛筆を保持すれば、期待効果が得られる。【００４５】  本発明により筆記具以外の特別の品が不要の、持ち方指導表示付筆記具が実現できた。［特許文献１］［特許文献２］［特許文献３］［特許文献４］［特許文献５］［特許文献６］［特許文献１０］［特許文献１５］
【産業上の利用可能性】教育機能付筆記具
【符号の説明】１    六角鉛筆の中指当接表示の約１５°長斜線柄
２    六角鉛筆の親指当接表示の約４５°斜線柄
３    六角鉛筆の底面図
４    各指の当接部分
５    接紙部分
【図１】
2013182271.tif 000003
【図２】
2013182271.tif 000004
【図３】
2013182271.tif 000005
【図４】
2013182271.tif 000006
(57)【要約】【課題】元の線材の電気容量及び線材面積を減らすことなく、半田付けや圧着端子等のコネクター類端末処理をスムーズに行うことが出来るようにした電子反応方法とその装置及びその製品を作ること。【解決手段】理想は大気中で大気プラズマガスラジカル反応を応用して絶縁被膜を剥離灰化することだが、勿論真空中においてもより可能なのでその方法と装置で商品化したものを技術革新したい。【選択図】図１
2013045763.tif 000002
【特許請求の範囲】
【請求項１】
プラズマのラジカル反応を応用した銅、アルミ、他金属線材の単線、撚線、平線等の絶縁被膜を剥離させる方法とその装置及び製品群。
【請求項２】
アルミ線、単線及び撚線、角線にポリアミドやＡ１０８等の強固な耐熱性の絶縁被膜を酸素プラズマラジカルを応用して剥離させる方法とその装置及び製品群。
【請求項３】
アルミ線、単線及び撚線、角線にポリアミドやＡ１０８等の強固な耐熱性の絶縁被膜を酸素・水素プラズマラジカルを応用して剥離させる方法とその装置及び製品群。
【請求項４】
電線、コイル、ケーブル類の金属線材に使用された高分子絶縁被覆被膜をプラズマラジカル反応を応用して剥離して灰化させる方法とその装置化とその製品群。
【発明の詳細な説明】
【発明の詳細な説明】
【技術分野】
【０００１】本発明はプラズマ化学ラジカル反応を応用した、電線、リード線、コイル類等の絶縁被膜の剥離方法及び装置とその製品類である。【０００２】アルミや銅線等の線材にコーティングされている絶縁被膜を酸素ガスや水素ガスをプラズマ化させラジカル反応（アッシング）技術を応用した低温灰化技術。
【背景技術】
【０００３】一般的には酸素プラズマによる低温灰化技術は公知の通りだがアルミや銅線類の線材の絶縁被膜を剥離する方法や装置はまだ見知していない。【０００４】現状は４００℃〜５００℃の高温で焼き剥がすか強アルカリ性の剥離剤に漬けるか又は塗布するか、苛性ソーダを５００℃以上の高温にした槽に漬け剥離するか、又はカッターやヤスリ、ペーパーやクラインダーで削り取る作業が一般的である。【０００５】
【特許文献１】特開２００７−１５１２８５（Ｐ−２００７−１５１２８５Ａ）
【発明が解決しようとする課題】
【０００６】従来の方法では工程が多く時間がかかりすぎ、又資源も無駄であり、作業環境、自然環境、生活環境も悪く、又作業者が長年この仕事に従事しているとダイオキシンやＶＯＣガスを吸引して年を重ねると癌の発症もみられる。
【０００７】［０００６］を解消したくプラズマラジカル反応を応用すれば全て問題を解決することが出来る。
【０００８】資源環境コストも今までの比ではなく自動化装置にすると１００分の１位の効果を発揮する技術である。
【課題を解決する為の手段】
【０００９】本発明の酸素や水素、その他のガスをイオンプラズマ化し、ラジカル反応で高分子系の有機物を灰化する技術だが、
【００１０】例えばアルミ線材等は低温酸素プラズマラジカル処理をするだけでよく、
【００１１】銅線材等は酸素プラズマと水素プラズマをラジカル化して酸化還元反応を応用しないといけないので、無機の線材によっては使用するガスを選択する必要がある。
【発明の効果】
【００１２】プラズマラジカル反応処理を行うことで、線材はんだ付けや端子の圧着が簡単になり、品質の不良も低下し、銅線がアルミ線でもよくなったり、金線、銀線材が銅や銅の合金線材でよくなったり、自動車や飛行機、宇宙産業へのコスト削減や安定した技術が約束されます。
【図面の簡単な説明】
【００１３】図１は、真空プラズマ装置を用いてアルミ撚線をラジカル反応を応用して線材の被膜を灰化させる方法を示している。吸引排気口には活性炭フィルターを使用することで室内でも排気ガスはほとんど無害である。【００１４】図２は、大気プラズマ装置を用いてアルミ撚線をラジカル反応を応用して線材の被膜を灰化させる方法を示している。【００１５】アルミ線材は図１▲３▼の酸素ガスを使用して酸素ラジカルとする。【００１６】銅線材は▲３▼の酸素ガスを入れて酸素プラズマ化してラジカル反応で灰化する。▲４▼の水素ガスプラズマ化し、ラジカル反応で還元し完了である。
時間は１〜２分でよい。
【符号の説明】
【００１７】図１
▲１▼真空プラズマチャンバー
▲２▼マイクロプラズマ発生器
▲３▼酸素ガス配管
▲４▼水素ガス配管
▲５▼ワーク撚線
▲６▼単線のワーク
▲７▼ベース台
▲８▼ワーク撚線の剥離させたい部分
▲９▼吸引排気菅
▲１０▼活性炭フィルター
▲１１▼線止めホルダー【００１８】図２
▲１▼大気プラズマ装置
▲２▼酸素ガス入口
▲３▼水素ガス入口
▲４▼密閉チャンバー
▲５▼線材撚線
▲６▼線材クランプホルダー
▲７▼線材のプラズマラジカル反応をさせて剥離した筒部
▲８▼ワーク台
▲９▼吸入排気筒
▲１０▼活性炭フィルター
【図１】
2013045763.tif 000003
【図２】
2013045763.tif 000004
【手続補正書】
【提出日】平成24年1月16日(2012.1.16)
【手続補正１】
【補正対象書類名】明細書
【補正対象項目名】００１３
【補正方法】変更
【補正の内容】
【００１３】
【図１】低温真空プラズマ装置を用い、アルミ撚線をラジカル反応を応用して線材の被膜を灰化させる方法を示した図。吸引排気口には活性炭フィルターを使用することで室内でも排気ガスはほとんど無害である。
【図２】大気プラズマ装置を用いてアルミ撚線をラジカル反応を応用して線材の被膜を灰化させる方法を示した図。